(57)【要約】錠止クランプデバイスは、第１および第２の締着部材を備える。第１の締着部材は、第１の締着表面を伴うベース部材と、固定位置と解放位置との間のベース部材に対して移動可能な錠止部材とを含む。第２の締着部材は、第１の締着部材と摺動可能に係合され、複数の締着位置に選択的に移動可能である。第２の締着部材は、第１の締着表面と反対側の第２の締着表面を含む。錠止デバイスは、固定位置から解放位置への錠止部材の移動を防止するための手段をさらに含む。錠止部材は、錠止部材が固定位置にある時、第２の締着部材を複数の締着位置のうちの１つに固定するように構成される。
2011523988.tif 000002
【特許請求の範囲】
【請求項１】
第１の締着表面を伴うベース部材と、固定位置と解放位置との間の該ベース部材に対して移動可能な錠止部材とを有する、第１の締着部材と、
該第１の締着部材と摺動可能に係合され、複数の締着位置に選択的に移動可能である、第２の締着部材であって、該第１の締着表面と反対側の第２の締着表面を有する、第２の締着部材と、
該固定位置から該解放位置への該錠止部材の移動を防止するための手段と
を備え、該錠止部材は、該錠止部材が該固定位置にある時、該第２の締着部材を該複数の締着位置のうちの１つに固定するように構成され、該錠止部材は、該錠止部材が該解放位置にある時、該複数の締着位置のうちの１つから該第２の締着部材の移動を可能にするようにさらに構成される、デバイス。
【請求項２】
前記固定位置から前記解放位置への前記錠止部材の移動を防止するための手段は、前記第１および第２の締着部材のうちの１つ内に配置され、該錠止部材の移動を妨害するための妨害物を受容するように構成される、錠開口を備える、請求項１に記載のデバイス。
【請求項３】
前記錠開口は、前記錠止部材内に配置される、請求項２に記載のデバイス。
【請求項４】
前記錠止部材は、前記錠止部材が前記固定位置にある時、前記第２の締着部材の第２の相互錠止特徴と相互錠止するように構成される、第１の相互錠止特徴を有する、錠止キャッチを備える、請求項１に記載のデバイス。
【請求項５】
前記錠止部材は、前記錠止部材が前記固定位置にある時、前記第２の締着部材と相互錠止係合する前記錠止キャッチを保持するように構成される、カム表面を有する、摺動可能閂をさらに備える、請求項４に記載のデバイス。
【請求項６】
前記閂は、前記錠止部材が前記解放位置にある時、前記第２の締着部材との相互錠止係合から外れて前記錠止キャッチを保持するように構成される、第２のカム表面をさらに備える、請求項５に記載のデバイス。
【請求項７】
前記固定位置から前記解放位置への前記錠止部材の移動を防止するための前記手段は、前記閂内に配置される錠開口を備え、該錠開口は、前記第２の締着部材からの前記錠止キャッチの係合解除のために、前記ベース部材内に完全に後退させられていなくてはならない、請求項５に記載のデバイス。
【請求項８】
前記第１および第２の相互錠止特徴は各々、複数の歯を備える、請求項４に記載のデバイス。
【請求項９】
前記第１および第２の締着表面のうちの少なくとも１つは、旋回可能パッド上に配置される、請求項１に記載のデバイス。
【請求項１０】
前記第１および第２の締着表面のうちの少なくとも１つは、圧縮可能パッド上に配置される、請求項１に記載のデバイス。
【請求項１１】
前記第１および第２の締着表面のうちの少なくとも１つは、バネ装填パッド上に配置される、請求項１に記載のデバイス。
【請求項１２】
前記第１および第２の締着表面のうちの少なくとも１つは、陥凹中心部分から前方に延びる側縁を備える、請求項１に記載のデバイス。
【請求項１３】
前記側縁および中心部分は、Ｖ型断面を形成する、請求項１に記載のデバイス。
【請求項１４】
前記第１および第２の締着部材のうちの１つに添着される保定部材をさらに備え、該保定部材は、前記第２の締着部材が前記複数の締着位置のうちの１つにある時、前記第１および第２の締着表面に架かるように構成される、請求項１に記載のデバイス。
【請求項１５】
弁を所定の状態に錠止するための方法であって、該弁は、弁本体と、回転可能な弁ハンドルとを有し、各々は、該弁が該所定の状態にある時、相互に当接するように構成される、停止部分を有し、
第１の締着表面を有する第１の締着部材と、該第１の締着部材と摺動可能に係合され、第２の締着表面を有する第２の締着部材とを含む、錠止デバイスを提供することと、
該弁を該所定の状態に提供することと、
該第１の締着表面と該第２の締着表面との間に該本体およびハンドル停止部分を位置付けることと、
該本体停止部分が、該第１の締着表面と該第２の締着表面との間の該ハンドル停止部分に対して締着されるように、該第２の締着部材を締着位置に摺動させることと、
該第２の締着部材を該第１の締着部材と相互錠止し、該第２の締着部材を該締着位置に固定することと、
該第１および第２の締着部材を相互に相互錠止係合するように錠止することと
を含む、方法。
【請求項１６】
前記第２の締着部材を前記第１の締着部材と相互錠止することは、解放位置から固定位置へと錠止部材を移動させ、該錠止部材の第１の相互錠止特徴を該第２の締着部材の第２の相互錠止特徴と係合させることを含む、請求項１５に記載の方法。
【請求項１７】
前記第１および第２の相互錠止特徴は各々、複数の歯を備える、請求項１６に記載の方法。
【請求項１８】
前記解放位置から前記固定位置へと前記錠止部材を移動させることは、閂を摺動させ、該閂のカム表面を前記第１の相互錠止特徴を有する錠止キャッチと係合させることを含む、請求項１５に記載の方法。
【請求項１９】
前記第１および第２の締着部材を相互に相互錠止係合するように錠止することは、前記錠止部材内の錠開口の中に妨害物を挿入し、前記固定位置から前記解放位置への該錠止部材の移動を防止することを含む、請求項１５に記載の方法。
【請求項２０】
前記第１および第２の締着部材のうちの１つに添着される保定部材を提供することと、前記弁ハンドルと前記弁本体との間に該保定部材を挿入することとをさらに含み、該第２の締着部材を締着位置へと摺動させることは、該保定部材を前記第１および第２の締着表面に架けさせ、前記錠止デバイスを前記弁に固定する、請求項１５に記載の方法。
【請求項２１】
本体と、器具を操作するために該本体から延びる回転可能ハンドルとを有する、該器具のための錠止デバイスであって、
第１の締着表面を有する、ベース部材と、
該ベース部材と摺動可能に係合され、該ベース部材に対して、複数の締着位置へと選択的に移動可能な拡張アームであって、拡張アームの間に、該本体およびハンドルの各々の一部を締着するための該第１の締着表面と反対側の第２の締着表面を有する、拡張アームと、
該ベース部材内に配置される錠止キャッチであって、該拡張アームの第２の相互錠止特徴と選択的に相互錠止し、該拡張アームを該複数の締着位置のうちの１つに固定するように構成される、第１の相互錠止特徴を有する、錠止キャッチと、
固定位置と解放位置との間のベース部材に対して移動可能な摺動可能閂であって、該閂が該固定位置にある時、該錠止キャッチを該拡張アームとの相互錠止係合に保持するように構成される、カム表面を含む、閂と
を備える、錠止デバイス。
【請求項２２】
前記閂は、錠開口をさらに備え、該錠開口は、妨害物が該錠開口を通して挿入されると、前記固定位置から前記解放位置への該閂の移動を防止するように構成される、請求項２１に記載の錠止デバイス。
【請求項２３】
前記錠開口は、前記第２の締着部材からの前記錠止キャッチの係合解除のために、前記ベース部材内に完全に後退させられていなくてはならない、請求項２１に記載の錠止デバイス。
【請求項２４】
前記閂は、該閂が前記解放位置にある時、前記拡張アームとの相互錠止係合から外れて前記錠止キャッチを保持するように構成される、第２のカム表面をさらに備える、請求項２１に記載の錠止デバイス。
【請求項２５】
前記ベース部材および拡張アームのうちの１つに添着される保定部材をさらに備え、該保定部材は、前記拡張アームが前記複数の締着位置のうちの１つにある時、前記第１および第２の締着表面に架かるように構成される、請求項２１に記載の錠止デバイス。
【発明の詳細な説明】
【背景技術】
【０００１】
（本発明の背景）
例えば、南京錠および他の種類の従来の錠等の安全デバイスは、当技術分野において周知である。多くの安全デバイスは、例えば、スイッチ、ダイヤル、および押ボタン等の電気構成要素、ならびに弁および圧力調節器等の流体システム構成要素を含む、機器や制御器具へのアクセスを制限するために提供される。一例示的安全デバイスは、弁の操作を防止するための弁錠止デバイスであって、付随流体システムの整備の際、または弁の流量設定が変化してはならない他の状態下、利用されてもよい。
【０００２】
錠止デバイスが提供されている弁の種類の１つは、手動操作弁であって、例えば、弁軸等の作動部材が、弁本体から延び、弁を通るシステム流体の流量を変更するように回転または別様に移動させられてもよい。そのような弁の実施例は、ボール弁、ゲート弁、ニードル弁、およびダイヤフラム弁を含む。多くのそのような弁の場合、弁ハンドルが、作動部材に取り付けられ、把持および操縦が容易な拡張部を提供することによって、作動部材の移動を促進する。
【発明の概要】
【発明が解決しようとする課題】
【０００３】
いくつかの従来の弁錠止デバイスは、弁本体および／またはハンドルに嵌まり、弁本体に対して、ハンドルの移動を制限する。多数の弁製造業者および種々の弁サイズ、導管サイズ、弁本体形状、ならびに弁ハンドル寸法のため、単一の従来の錠止デバイス設計が使用され得る弁の種類は限定され、通常の工場において使用される弁の多くの種類およびサイズに対応するために、錠止デバイスのいくつかの種類またはサイズの保留を余儀なくされる。
【課題を解決するための手段】
【０００４】
（本発明の概要）
本発明は、１つ以上の締着位置に固定または錠止され得る、錠止クランプに関する。一実施形態では、錠止クランプデバイスは、第１および第２の締着部材を備える。第１の締着部材は、第１の締着表面を伴うベース部材と、固定位置と解放位置との間のベース部材に対して移動可能な錠止部材とを含む。第２の締着部材は、第１の締着部材と摺動可能に係合され、複数の締着位置に選択的に移動可能である。第２の締着部材は、第１の締着表面と反対側の第２の締着表面を含む。錠止クランプは、固定位置から解放位置への錠止部材の移動を防止するための手段をさらに含む。錠止部材は、錠止部材が固定位置にある時、第２の締着部材を複数の締着位置のうちの１つに固定するように構成される。
【０００５】
本願の発明の特徴による錠止クランプは、種々の用途で使用され得るが、一実施形態では、錠止クランプは、例えば、遮断弁等の流体システム構成要素を含む、操作可能器具のための錠止デバイスとして使用するために構成されてもよい。
【図面の簡単な説明】
【０００６】
本発明のさらなる特徴および利点は、付随の図面を参照して、以下の発明を実施するための形態から明白となるであろう。
【図１】図１は、弁とともに組み立てられる、錠止クランプの上部概略図である。
【図２Ａ】図２Ａは、固定された状態に示される、錠止クランプの上方斜視図である。
【図２Ｂ】図２Ｂは、調節可能状態に示される、図２Ａの錠止クランプの上方斜視図である。
【図３Ａ】図３Ａは、固定された状態に示される、図２Ａの錠止クランプの上部断面図である。
【図３Ｂ】図３Ｂは、調節可能状態に示される、図２Ａの錠止クランプの上部断面図である。
【図４Ａ】図４Ａは、固定された状態に示される、図２Ａの錠止クランプの正面断面図である。
【図４Ｂ】図４Ｂは、調節可能状態に示される、図２Ａの錠止クランプの正面断面図である。
【図５Ａ】図５Ａは、固定された状態に示される、図２Ａの錠止クランプの左側断面図である。
【図５Ｂ】図５Ｂは、調節可能状態に示される、図２Ａの錠止クランプの左側断面図である。
【図６Ａ】図６Ａは、固定された締着位置に示される、図２Ａの錠止クランプの正面図である。
【図６Ｂ】図６Ｂは、固定された締着位置に示される、図２Ａの錠止クランプの底面図である。
【図７】図７は、固定された締着位置にある弁に締着されて示される、図２Ａの錠止クランプの背面図である。
【発明を実施するための形態】
【０００７】
（本発明の詳細な説明）
本発明を実施するための形態は、本発明の実施形態について説明しているにすぎず、請求項の範囲をいかようにも限定することを意図するものではない。代わりに、請求項によって説明される本発明は、好ましい実施形態より広義であって、それに限定されず、請求項における用語は、その完全なる通常の意味を有する。
【０００８】
本発明は、１つ以上の締着位置に錠止可能に固定され、例えば、締着される１つ以上の構成要素の操縦または移動を制限するように構成される、錠止クランプを企図する。そのような用途の１つでは、錠止クランプは、弁本体に対して、弁ハンドルの移動を制限することによって、弁（または、他のそのような器具）へのアクセスまたはその操作を防止するための錠止デバイスとして利用されてもよい。本明細書に説明されるように、弁本体に対する弁ハンドルの移動は、ハンドルおよび本体の隣接または当接部分をともに締着することによって制限されてもよい。一実施例として、ボール弁またはゲート弁等の遮断弁は、通常は、弁が閉鎖状態にある時、ハンドル停止部に当接する本体停止部または中子を含む。ハンドル停止部に対して、本体停止部を締着することによって、弁を開放する弁ハンドルの回転が防止されてもよい。
【０００９】
例示的弁の上部概略図は、図１に例示される。弁１０は、弁本体１２と、弁軸１７を回転させ、例えば、弁１０を開閉するための回転可能な弁ハンドル１５とを含む。弁本体１２は、弁が第１の状態（例えば、完全閉鎖または完全開放）にある時、ハンドル１５上の対応する停止部１６に当接する、本体停止部１３を含む。ハンドル１５が回転させられ、第１の状態から弁を作動させると、ハンドル停止部１６は、本体停止部１３から分離する。第１の状態から弁の作動を防止するために、ハンドル停止部１６は、図１に示される位置にあるように、本体停止部１３に対して締着されてもよい。
【００１０】
多くの異なるデバイスが、本体停止部に対して、ハンドル停止部を締着するために使用され得るが、一実施形態では（図１に示されるように）、錠止デバイス２０は、相互に摺動係合する、第１および第２の締着部材２２、２４を含んでもよい。締着部材２２、２４は、その間にハンドル停止部１６および本体停止部１３を受容するように離間され得る、対向締着表面２３、２５を含む。第２の締着部材２４は、締着位置へと移動させられ、締着表面２３、２５間にハンドル停止部１６および本体停止部１３を締着してもよい。示されるように、第１の締着部材２２は、ベース部材２６（例えば、筐体、フレーム、または他の構造等）と、解放位置から固定位置へと移動可能であって（ベース部材に対して）、第２の締着部材２４を締着位置に固定する錠止部材（２７として図式的に示される）とを含んでもよい。以下に詳述されるように、錠止デバイス２０は、錠止部材２７を固定位置に錠止するための機構を含んでもよい（但し、必要ではない）（例えば、弁からの錠止デバイスの不正取り外しを防止するために）。
【００１１】
多くの異なる構成要素および構成を利用して、第２の締着部材を締着位置に固定してもよい。一実施例として、第１の締着部材は、錠止部材が固定位置にある時、第２の締着部材の対応する相互錠止特徴と相互錠止するように構成される相互錠止特徴を有する、錠止キャッチを含んでもよい。例えば、戻り止め、摩擦表面、または相互錠止歯を含む、任意の好適な相互錠止特徴が提供されてもよい。相互錠止特徴は、例えば、異なるサイズまたは種類の弁と併用するために、第２の締着部材を複数の締着位置に固定させてもよい（但し、必要ではない）。
【００１２】
図２Ａ−７は、手動で操作可能な器具を第１の位置に固定するための例示的錠止クランプ１００を例示する。図および説明は、第１の位置にある本体停止部に当接するハンドル停止部を伴う回転可能ハンドルを有する弁とともに、錠止デバイスとして使用するために適合される、実施形態を例示および説明するが、例示的実施形態の特徴の多くは、他の錠止クランプならびに異なる種類の弁および他の器具のための錠止デバイスと併用されてもよい。本明細書に説明されるデバイスの発明特徴は、例えば、整備要員が、流体システムが接続される流体システムまたは工場の機器の修繕を行なう場合、弁等の器具が故障していることが分かっている場合、または制御設定が変更されてはならない場合等、例えば、２つ以上の構成要素がともにしっかりと締着されなければならない、あるいは器具が錠止されなければならない多くの用途に対して有益であり得る。用途は、永久および一時的錠止を含んでもよい。本発明によるデバイスは、通常使用下において耐久性があって、繰り返し、かつ恒久的に使用されてもよい。
【００１３】
例示される実施形態のデバイス１００は、拡張アーム１４０と摺動係合する、ベース部材１２０を含む。ベース部材１２０および拡張アーム１４０は、任意の好適な構成にともに組み立てられてもよいが、例示される実施形態では、拡張アーム１４０は、ベース部材１２０内の通路１２１を通って、摺動可能に延びる。１つ以上の支柱１４２または他のそのような保定特徴が、拡張アーム１４０上に提供され、通路１２１からの拡張アーム１４０の完全な引き離しを防止してもよい。ベース部材は、拡張アーム１４０上に組み立てられた（例えば、締結具１２３を使用して、図５Ａ、５Ｂ、および７参照）正面および後面本体半体１２０ａ、１２０ｂを含んでもよい。
【００１４】
ベース部材１２０および拡張アーム１４０は各々、その間にともに締着される（例えば、弁本体および弁ハンドルの一部に当接する）構成要素を受容するための対向締着表面１２６、１４６を有する、パッド１２５、１４５を含む。例示的拡張アーム１４０は、複数の歯またはラック部分１４８を含む（但し、他の相互錠止特徴が使用されてもよい）。ベース部材１２０内に配置されるのは、錠止キャッチ１５５が拡張アーム１４０に係合すると、拡張アーム１４０の歯１４８と相互錠止するように構成される相互錠止特徴（歯１２８）を有する、錠止キャッチまたは歯止め１５５である。他の実施形態では（図示せず）、相互錠止特徴は、ベース部材と一体型であってもよい。錠止キャッチ１５５を拡張アーム１４０と係合するために、多くの異なる構成が利用され得るが、例示される実施形態では、摺動可能閂１５０は、閂１５０が固定位置に移動させられると（図３Ａ、４Ａ、および５Ａに示されるように）、錠止キャッチ１５５を拡張アーム１４０との相互錠止係合に付勢する、カム表面１５２を含む。本相互錠止状態は、締着位置からの移動に対して、拡張アーム１４０を固定する。
【００１５】
拡張アーム１４０を締着位置から解放するために（例えば、異なる締着位置に移動させるために、または締着される構成要素からデバイス１００を取り外すために）、閂は、固定位置から解放位置へと移動させられ（図３Ｂ、４Ｂ、および５Ｂに示されるように）、錠止キャッチ１５５からカム表面１５２を係合解除させる。これは、拡張アーム１４０の移動のために、錠止キャッチ１５５および拡張アーム１４８の相互錠止特徴１２８、１４８の係合解除を可能にし得る（例えば、拡張アーム１４０に印加される力の結果）。デバイス１００は、閂１５０が解放位置に移動させられると、拡張アーム１４０との係合から外れた錠止キャッチ１５５を保持するようにさらに構成されてもよい。一実施例として（図示せず）、ベース部材は、錠止キャッチ１５５からのカム表面１５２の係合解除に応じて、拡張アーム１４０との係合から錠止キャッチ１５５を移動させる、偏向部材（例えば、圧縮バネまたは可撓性タブ等）を含んでもよい。別の実施例として、例示される実施形態（図５Ｂ参照）に示されるように、閂１５０は、閂１５０が解放位置に移動させられると、拡張アーム１４０との係合から外れるように錠止キャッチ１５５を付勢するように構成される、第２のカム表面１５３を含んでもよい。例示される実施形態では、閂１５０は、錠止キャッチ１５５の中心部分１５８を受容するためのスロット１５６を含み（図３Ａおよび３Ｂ参照）、側方に固定された錠止キャッチ１５５に対して、閂を摺動させる。閂１５０が固定位置に移動させられると（図４Ａ参照）、錠止キャッチ１５５の下方部分１５７は、下方の第１のカム表面１５２によって係合され、錠止キャッチ１５５を拡張アーム１４０と相互錠止するように付勢される。閂１５０が解放位置に移動させられると（図４Ｂ）、錠止キャッチ１５５の上方部分１５９は、上方の第２のカム表面１５３によって係合され、錠止キャッチ１５５を拡張アーム１４０との相互錠止係合から外れるように付勢される。
【００１６】
本願の別の発明局面によると、デバイスは、閂を固定位置に錠止させ、締着された構成要素からのデバイスの不慮のまたは意図的な取り外しを防止するように構成されてもよい。一実施形態では（図示せず）、デバイスは、閂を固定位置に錠止可能に固定する、一体型錠止機構（例えば、キーシリンダー錠またはダイヤル錠等）を含んでもよい。別の実施形態では、デバイスは、妨害物（例えば、南京錠シャックル、ケーブル錠、または繋材のような）を受容し、閂固定位置から解放位置への移動を防止するように構成される、錠開口を含んでもよい。例示される実施形態では、錠開口１５１は、閂１５０が固定位置（図２Ａおよび３Ａ）にある時、ベース部材１２０から突出し、閂１５０が解放位置（図２Ｂおよび３Ｂ）にある時、ベース部材１２０内へと後退する、閂１５０の一部内に配置される。錠開口１５１を通しての妨害物（図示せず）の挿入は、ベース部材１２０内への錠開口１５１の後退を防止し、それによって、固定位置から解放位置への閂１５０の移動を防止する。その結果、閂１５０は、固定位置に錠止され、拡張アーム１４０は、選択された締着位置に錠止され得る。一実施例では、デバイスは、拡張アーム１４０からの錠止キャッチ１５５の係合解除のために、錠開口１５１がベース部材１２０内に完全に後退させられるように構成されてもよい。したがって、任意のサイズ妨害物（断面上、錠開口１５１より小さい）が、錠開口１５１を通して挿入され、ベース部材１２０内への錠開口１５１の完全後退を防止し、デバイス１００を締着位置に錠止してもよい。
【００１７】
本願の別の発明局面によると、締着表面は、締着される構成要素と整合する、それを把持する、または別様に固定するように適合されてもよい。一実施例として、締着表面は、高摩擦表面を備え、締着される構成要素の把持を改善してもよい（例えば、弁本体の不均衡または湾曲表面）。例えば、例示されるデバイス１００上の拡張アーム１４０の締着パッド１４５は、ダイヤモンドパターン締着表面１４６を含み、把持を向上させる。別の実施形態では、締着表面の角度または配向は、収容される角度付けられた構成要素に対応するように調節可能であってもよい。例えば、例示されるデバイス１００上の拡張アーム１４０の締着パッド１４５は、垂直に配向された旋回ピン１４７を中心として旋回可能であって、締着表面１４６の角度配向を調節する。さらに別の実施形態では、締着表面は、締着される構成要素の縁（または、弁ハンドル停止部の縁等の他の狭小部分）を保定するように成形されてもよい。例えば、締着表面は、陥凹中心部分の前方から延びる側縁を含み、これらの縁間の狭小構成要素を保定してもよい。別の実施例として、締着表面は、締着表面縁間に可変厚の構成要素を緊保定するようなＶ型であってもよい。例示される実施形態では、ベース部材１２０の締着パッド１２５は、Ｖ型垂直横断面を含む（図６Ｂ参照）。
【００１８】
さらに別の実施形態では、締着表面は、圧縮可能（または、長手方向に調節可能）であって、締着把持を向上させる（例えば、不均衡表面を伴う構成要素）、または締着表面間に第１の締着位置より大きいが、隣接する締着位置より小さい空間を必要とする構成要素を締着表面に対応させてもよい（例えば、例示される錠止キャッチ１５５および拡張アーム１４０の嵌合歯１２８、１４８の漸増的相互錠止位置）。一実施例として、締着パッドは、パッドが圧縮または変形し、寸法変動に対応するように、圧縮可能材料として提供されてもよい。別の実施例として、締着パッドは、長手方向移動を可能にし、締着される構成要素の寸法変動に対応するように、バネ装填されてもよい。例示される実施形態（図４Ａおよび４Ｂ参照）では、ベース部材１２０の締着パッド１２５は、バネ装填され（バネ１３１によって）保定ピン１２７（パッド１２５内のスロット１２９を通って延びる）上を摺動可能であって、締着表面１２６の長手方向位置の調節を可能にする。任意の量の調節または圧縮能が提供され得るが、一実施形態では、パッド１２５は、漸増的締着位置（例えば、１本の歯厚）間の距離と同程度移動し、錠止キャッチ１５５および拡張アーム１４０の漸増的相互錠止位置間の所望の締着表面空間に対応するように構成されてもよい。パッドがより小量または大量の距離を移動する他の構成も、本発明の実践において企図される。
【００１９】
本願の別の発明局面によると、錠止クランプは、不正使用（例えば、錠止クランプをこじ開け、または引っ張り、締着された構成要素から締着表面を摺動させる）による、締着された部分からの錠止クランプの取り外しを防止するようにさらに構成されてもよい。一実施形態では、錠止クランプは、錠止クランプが構成要素（例えば、弁本体およびハンドル）上に締着されると、保定部材が、締着表面の一方または両方を越えて（すなわち、対向締着表面間の空隙内へ）延び、締着された構成要素から錠止クランプを引張しようとする不正使用の試みを妨害するように、締着される構成要素の一部を通して挿入されるように構成される保定部材を備える。一実施例では、保定部材は、締着表面に近接して位置付けられ、錠止クランプが所望の締着位置にある時、締着表面に架かるように構成される。
【００２０】
錠止クランプのための保定部材は、任意の好適な形状または配向に提供され、例えば、ベース部材および拡張アームのうちの１つに添着されてもよい。例示される実施形態では、保定ロッド１３３が、締着パッド１２５に近接するベース部材１２０に添着され、拡張アーム１４０の締着パッド１４５に向かって延びる。拡張アーム１４０が締着位置に移動させられると、保定ロッド１３３が、保定ロッド１３３と拡張アーム１４０との間の空間Ｓ（図６Ａおよび７参照）内に受容される締着された構成要素の一部の取り外しを阻止し得るように、保定ロッド１３３は、第１および第２の締着表面１２６に架かる。さらに、保定ロッド１３３は、拡張アーム１４０内の開口部１４９（図６Ａ参照）を通って延び、拡張アーム１４０が締着位置にある時、締着された構成要素からのデバイス１００の取り外しをさらに妨害するように構成されてもよい。
【００２１】
例えば、種々のプラスチックおよび金属を含む、多くの材料を使用して、錠止クランプの構成要素が構築され得るが、一実施形態では、錠止クランプは、例えば、高温システム用途における使用のために、高強度および熱抵抗特性用に選択された材料から構築されてもよい。例示的実施形態では、ベース部材１２０、閂１５０、錠止キャッチ１５５、および拡張アーム１４０は、銅ニッケルめっき亜鉛ダイカストとして提供され、締着パッド１２５、１４５および保定ロッド１３３は、鋼鉄として提供される。
【００２２】
本願の発明特徴を含む、錠止可能クランプは、多くの異なる締着、錠、および錠止用途において利用され得るが、一実施形態では、錠止クランプ１００は、示されるように、弁が第１の状態（例えば、閉鎖状態）にある時、弁本体停止部に当接するハンドル停止部を有するハンドル操作弁を伴う、錠止デバイスとして使用されてもよい。例示的方法による、そのような弁Ｖを伴う、図２Ａ−７に例示される錠止クランプ１００を使用するために、弁ハンドルＸは、弁本体停止部Ｂ（図７参照）を伴う弁ハンドル停止部Ｈに当接するように回転させられ、弁Ｖを所望の状態（例えば、閉鎖状態）に載置する。保定部材１３３は、ハンドル停止部Ｈと弁軸（図示せず）との間に挿入される。次いで、本体およびハンドル停止部分Ｂ、Ｈは、錠止クランプ１００の第１の締着部材（ベース部材１２０）および第２の締着部材（拡張アーム１４０）の第１と第２の締着表面１２６、１４６との間に位置付けられる。第２の締着部材１４０は、本体停止部Ｂが第１と第２の締着表面１２６、１４６との間のハンドル停止部Ｈに対して締着されるように、締着位置に摺動される。保定部材１３３は、締着表面１２６、１４６に架かるように延び、弁Ｖ上の錠止クランプ１００を保定する。次いで、ベース部材１２０は、ベース部材１２０に対して、解放位置から固定位置へと閂１５０を摺動させることによって、拡張アーム１４０と相互錠止され、カム表面１５２を錠止キャッチ１５５と係合させ、錠止キャッチ上の歯１２８を拡張アーム１４０上の対応する歯１４８と相互錠止係合するように付勢する（図４Ａおよび５Ａ参照）。次いで、錠開口１５１（図６Ｂ参照）を通して、妨害物（例えば、南京錠シャックル）を挿入することによって、第１および第２の締着部材は、相互に相互錠止係合するように錠止され、固定位置から解放位置への閂１５０の移動を防止する。
【００２３】
例示的錠止クランプ１００を弁との錠止から取り外すために、妨害物が、錠開口１５１から取り外され、閂１５０が、固定位置から解放位置へと移動させられる。閂１５０上の第２のカム表面１５３は、錠止キャッチ１５５に係合し、拡張アーム１４０の歯１４８から錠止キャッチ１５５の歯１２８を係合解除され（図４Ｂおよび５Ｂ参照）、拡張アーム１４０をベース部材内で摺動させ、締着表面１２６、１４６から本体およびハンドル停止部Ｂ、Ｈを解放し、保定ロッド１３３をハンドル停止部Ｈと弁軸との間から引き抜く。
【００２４】
例示的実施形態における組み合わせとして具現化されるように、本明細書では、本発明の種々の発明局面、概念、および特徴が、説明および例示され得るが、これらの種々の局面、概念、および特徴は、個々に、または種々の組み合わせ、およびその副次的組み合わせとして、多くの代替実施形態において使用されてもよい。本明細書において明示的に排除されない限り、あらゆるそのような組み合わせおよび副次的組み合わせは、本発明の範囲内にあるものと意図される。さらに、本発明の種々の発明局面、概念、および特徴（代替材料、構造、構成、方法、回路、デバイスおよび構成要素、ソフトウェア、ハードウェア、制御論理、式、フィット、および関数に関する代替等）に関する種々の代替実施形態が、本明細書に説明され得るが、そのような説明は、現在既知または後に開発されるかにかかわらず、利用可能な代替実施形態の完全または排他的リストとして意図されるものではない。当業者は、そのような実施形態が、本明細書に明示的に開示されない場合であっても、容易に、本発明の局面、概念、または特徴のうちの１つ以上を付加的実施形態に採用し、本発明の範囲内で使用し得る。加えて、本発明のいくつかの特徴、概念、または局面は、好ましい配列あるいは方法であるとして、本明細書に説明され得るが、そのような説明は、明示的に記載されない限り、そのような特徴が必須または必要であることを示唆することを意図するものではない。さらに、例示的または代表的値および範囲が、本開示の理解を支援するために含まれ得る。しかしながら、そのような値および範囲は、限定的意味で解釈されるべきではなく、明示的に記載される場合のみ、臨界値または範囲として意図される。さらに、種々の局面、特徴、および概念は、発明または発明の一部として、本明細書に明示的に識別され得るが、そのような識別は、排他的として意図されるものではなく、むしろ、具体的発明またはその一部として明示的に識別されることなく、本明細書に完全に説明される発明局面、概念、および特徴であり得る。例示的方法またはプロセスの説明は、明示的に記載されない限り、あらゆる場合に必要とされる全ステップを含意するものとして限定されるものではなく、あるいはステップが必須または必要として解釈されるように提示される順番でもない。
【図１】
2011523988.tif 000003
【図２Ａ】
2011523988.tif 000004
【図２Ｂ】
2011523988.tif 000005
【図３Ａ】
2011523988.tif 000006
【図３Ｂ】
2011523988.tif 000007
【図４Ａ】
2011523988.tif 000008
【図４Ｂ】
2011523988.tif 000009
【図５Ａ】
2011523988.tif 000010
【図５Ｂ】
2011523988.tif 000011
【図６Ａ】
2011523988.tif 000012
【図６Ｂ】
2011523988.tif 000013
【図７】
2011523988.tif 000014
【国際調査報告】
2011523988.tif 000015